(57)【要約】【課題】  非接触によりデータの送受信を行う非接触通信装置及びＩＣカードであって、特別な装置を用いることなく、不正アクセスからカード情報を保護することができる非接触通信装置、ＩＣカード及び携帯機器を提供する。【解決手段】  開放端Ａ、Ｂ間が断線している場合には、アンテナ用コイルＬ１０は開放されているため、ＩＣカードリーダ／ライタ部３０から電力用電波信号を受信しても、ＣＰＵ１２等への動作電力の供給は行われず、データの送受信が不可能な状態となる。一方、動作スイッチ２４により開放端Ａ、Ｂ間が電気的に接続されている場合には、ＩＣカードリーダ／ライタ部３０から電力用電波信号を受信すると、ＣＰＵ１２等への動作電力の供給が行われ、アンテナ用コイルＬ１０を介してデータの送受信が可能な状態になる。【選択図】      図１
2007193675.tif 000002
【特許請求の範囲】
【請求項１】
データ通信用のアンテナと、
前記アンテナを介して外部機器との間で通信を行う無線通信手段と、
前記アンテナの途中、又は、前記アンテナと前記無線通信手段との間に設けられ、電気的に接続／非接続するためのスイッチと、
を備えることを特徴とする非接触通信装置。
【請求項２】
前記アンテナは、前記外部機器から電波の入力を受け付けて起電力を発生し、前記無線通信手段に動作電力を供給することを特徴とする請求項１記載の非接触通信装置。
【請求項３】
前記スイッチは、メンブレンスイッチであることを特徴とする請求項１又は２記載の非接触通信装置。
【請求項４】
請求項１から３のいずれか１項記載の非接触通信装置を備えることを特徴とする非接触ＩＣカード。
【請求項５】
請求項１から３のいずれか１項記載の非接触通信装置を備えることを特徴とする携帯機器。
【発明の詳細な説明】
【技術分野】
【０００１】
本発明は非接触通信装置、ＩＣカード及び携帯機器に係り、特に外部機器との間で非接触によりデータの送受信を行う技術に関する。
【背景技術】
【０００２】
従来、非接触ＩＣカードに対する不正アクセスからカード情報を保護する不正アクセス防護装置が提案されている（特許文献１）。
【特許文献１】特開２００４−３４８５００号公報
【発明の開示】
【発明が解決しようとする課題】
【０００３】
上記特許文献１に開示された不正アクセス防護装置によれば、不正アクセス防護装置やＩＣカードホルダーを購入するコストがかかるという問題があった。また、ＩＣカードとともに、不正アクセス防護装置やＩＣカードホルダーを携帯する必要があるという問題があった。
【０００４】
本発明はこのような事情に鑑みてなされたもので、非接触によりデータの送受信を行う非接触通信装置及びＩＣカードであって、特別な装置を用いることなく、不正アクセスからカード情報を保護することができる非接触通信装置、ＩＣカード及び携帯機器を提供することを目的とする。
【課題を解決するための手段】
【０００５】
上記目的を達成するために請求項１に係る非接触通信装置は、データ通信用のアンテナと、前記アンテナを介して外部機器との間で通信を行う無線通信手段と、前記アンテナの途中、又は、前記アンテナと前記無線通信手段との間に設けられ、電気的に接続／非接続するためのスイッチとを備えることを特徴とする。
【０００６】
請求項１に係る非接触通信装置によれば、スイッチによりアンテナ、又は、アンテナと無線通信手段が接続された場合にのみ、データの送受信が可能になるため、非接触通信装置以外に余計な器具を用いることなく、不正なアクセスから非接触通信装置内に記録された情報を保護することができる。
【０００７】
請求項２に係る非接触通信装置は、請求項１において、前記アンテナは、前記外部機器から電波の入力を受け付けて起電力を発生し、前記無線通信手段に動作電力を供給することを特徴とする。
【０００８】
請求項２に係る非接触通信装置によれば、スイッチによりアンテナ、又は、アンテナと無線通信手段が接続された場合にのみ、アンテナから無線通信手段への電力供給及びデータの送受信が可能になるため、非接触通信装置以外に余計な器具を用いることなく、不正なアクセスから非接触通信装置内に記録された情報を保護することができる。
【０００９】
請求項３に係る非接触通信装置は、請求項１又は２において、前記スイッチがメンブレンスイッチであることを特徴とする。
【００１０】
請求項３に係る非接触通信装置によれば、非接触通信装置の表面からあまり突出していないメンブレンスイッチを用いることにより、鞄への収納時等に、スイッチが押されてしまうのを防止でき、不正アクセスの防止性能が向上する。
【００１１】
請求項４に係るＩＣカードは、請求項１から３のいずれか１項記載の非接触通信装置を備えることを特徴とする。また、請求項５に係る携帯機器は、請求項１から３のいずれか１項記載の非接触通信装置を備えることを特徴とする。
【００１２】
請求項４又は５によれば、スイッチにより開放箇所が接続された場合にのみ、電力用の電波の受信及びデータの送受信が可能になるため、余計な器具を用いることなく、不正なアクセスからＩＣカードや携帯機器内に記録されたデータを保護することができる。
【発明の効果】
【００１３】
本発明によれば、非接触により外部機器とのデータの送受信を行う非接触通信装置において、スイッチによりアンテナ等に設けられた開放箇所が接続された場合にのみ、データの送受信が可能になるため、余計な器具を用いることなく、不正なアクセスから情報を保護することができる。
【発明を実施するための最良の形態】
【００１４】
以下、添付図面に従って本発明に係る非接触通信装置、ＩＣカード及び携帯機器の好ましい実施の形態について説明する。
【００１５】
図１は、本発明の一実施形態に係るＩＣカードの主要構成を示すブロック図である。図１に示すように、本実施形態に係るＩＣカード１０は、ＩＣカードリーダ／ライタ部３０との間で、非接触でデータの送受信を行うものであって、アンテナ用コイルＬ１０、ＣＰＵ１２、コプロセッサ１４、ＲＯＭ１６、ＥＥＰＲＯＭ１８、ＲＡＭ２０、インターフェイス部２２及び動作スイッチ２４を備える。これらは、フィルムに実装されて無線ＩＣタグとなり、ＩＣカード１０に埋め込まれる。
【００１６】
ＩＣカードリーダ／ライタ部３０は、ＩＣカード１０と通信する場合に、ＩＣカード１０に対して電力用電波信号を送信する。この電力用電波信号によりＩＣカード１０の各ブロックに動作電力が供給されて動作可能な状態になると、ＩＣカードリーダ／ライタ部３０は、送信すべきデータ信号を電力用電波信号に重畳するように送信する。また、ＩＣカードリーダ／ライタ部３０は、ＩＣカード１０から送信された電波信号を受信して復調し、上記電波信号からデータ信号を取り出す。
【００１７】
アンテナ用コイルＬ１０は、ＩＣカードリーダ／ライタ部３０から送信される所定の周波数の電力用電波信号を受信する。この受信した電力用電波信号は、図示せぬ動作用電源回路（整流・平滑回路）によって整流・平滑化されて一定電圧の直流電力（動作用電力）となり、ＣＰＵ１２等に供給される。
【００１８】
ＩＣカードリーダ／ライタ部３０から送信されてくる信号は、電力用電波信号に重畳して送信され、その信号はインターフェイス部２２により復調されてＣＰＵ１２に与えられる。
【００１９】
ＣＰＵ１２は、ＲＯＭ１６に記憶された動作プログラムに従って動作し、上記インターフェイス部２２から入力される信号に応じた処理を実行し、受信したデータをＥＥＰＲＯＭ１８に書き込んだり、ＥＥＰＲＯＭ１８からデータを読み出してインターフェイス部２２により変調し、アンテナ用コイルＬ１０から電波信号として送信したりする。
【００２０】
コプロセッサ１４は、ＣＰＵ１２の性能を強化するための補助プロセッサである。ＲＡＭ２０は、プログラムの展開領域や、ＣＰＵ１２及びコプロセッサ１４の演算作業用領域として利用されるとともに、各種のデータの一時記録領域として利用される。
【００２１】
図１に示すように、本実施形態に係るＩＣカード１０では、アンテナ用コイルＬ１０は、開放端Ａ、Ｂにおいて開放されており、開放端Ａ、Ｂは動作スイッチ２４に接続されている。開放端Ａ、Ｂ間の電気的な接続は、動作スイッチ２４により制御される。なお、この開放端Ａ、Ｂは、アンテナ用コイルＬ１０のどこに設けられていてもよい。また、開放端Ａ、Ｂは、アンテナ用コイルＬ１０からＣＰＵ１２等への動作電力の供給路上に設けられていてもよい。
【００２２】
開放端Ａ、Ｂ間が断線している場合には、アンテナ用コイルＬ１０は開放されているため、ＩＣカードリーダ／ライタ部３０から電力用電波信号を受信しても、ＣＰＵ１２等への動作電力の供給は行われず、データの送受信が不可能な状態となる。一方、動作スイッチ２４により開放端Ａ、Ｂ間が電気的に接続されている場合には、ＩＣカードリーダ／ライタ部３０から電力用電波信号を受信すると、ＣＰＵ１２等への動作電力の供給が行われ、アンテナ用コイルＬ１０を介してデータの送受信が可能な状態になる。
【００２３】
図２は、動作スイッチ２４の構成を示す断面図である。図２に示すように、動作スイッチ２４は、ＩＣカード１０の表面基材４０と、裏面基材５０の間に形成されたノーマルオープン形のメンブレンスイッチである。表面基材４０及び裏面基材５０は、電磁波を透過しやすい絶縁材料（例えば、合成樹脂材料）により形成される。
【００２４】
表面基材４０の内側の面には、接着シート４２により上部接点シート４４が貼り付けられる。一方、裏面基材５０には、下部接点シート４８が貼り付けられる。上部接点シート４４及び下部接点シート４８は、ともに導電体であり、それぞれアンテナ用コイルＬ１０の開放端Ａ及びＢに接続されている。上部接点シート４４と下部接点シート４８とは、スペーサー４６によって絶縁されている。
【００２５】
図２に示すように、スペーサー４６の一部は切り欠かれている。上部接点シート４４及び下部接点シート４８上の、スペーサー４６の切り欠き部４６ａに対応する位置には、それぞれ上部電極４４ａ及び下部電極４８ａが互いに対向するように形成されている。ＩＣカード１０の表面基材４０の押圧部４０ａは弾性を有しており、押圧部４０ａが押圧されると、上部接点シート４４が押し下げられて、上部電極４４ａと下部電極４８ａとが接触し、アンテナ用コイルＬ１０の開放端が導通する。これにより、アンテナ用コイルＬ１０を介して、電力用電波信号の受信やデータの送受信が可能になる。
【００２６】
本実施形態によれば、動作スイッチ２４が押圧された場合にのみ、電力用電波信号の受信及びデータの送受信が可能になるため、ＩＣカード１０本体以外に余計な器具を用いることなく、不正なアクセスからＩＣカード１０内に記録されたカード情報を保護することができる。また、ＩＣカード１０の表面から突出していないメンブレンスイッチを用いることにより、鞄への収納時等に、スイッチが押されてしまうのを防止でき、不正アクセスの防止性能が向上する。
【００２７】
なお、本実施形態では、動作スイッチ２４が押圧された場合に、アンテナ用コイルＬ１０が使用可能となったことを表示するための表示手段を設けてもよい。上記表示手段としては、例えば、アンテナ用コイルＬ１０から供給される動作電力により点灯するランプ（ＬＥＤ）や、音声を出力するブザー又はスピーカを設けることができる。これにより、動作スイッチ２４が押圧された状態で、ＩＣカードリーダ／ライタ部３０から電力用電波信号を受信した場合に、ランプの点灯や音声の出力の有無により、データの送受信が可能になったことを確認したり、ＩＣカード１０内の回路の不良の有無（例えば、動作スイッチ２４の接触不良やアンテナ用コイルＬ１０の断線等）を確認することができる。
【００２８】
また、本実施形態では、動作スイッチ２４は、ＩＣカード１０の表面に設けられているが、例えば、側面や角に設けて、ＩＣカード１０の側面や角がＩＣカードリーダ／ライタ部３０に押しつけられた場合に、データの送受信を行えるようにしてもよい。
【００２９】
なお、本実施形態では、データの送受信を行わない場合に、アンテナ用コイルＬ１０、又は、アンテナ用コイルＬ１０からＣＰＵ１２等への動作電力の供給路を開放（断線）するようにしたが、図３に示すように、アンテナ用コイルＬ１０からＣＰＵ１２等への動作電力の供給路Ｃ１、Ｃ２間を短絡させてもよい。図３に示す動作スイッチ２６はノーマルクローズ形であり、動作スイッチ２６が押圧されていない場合には、Ｃ１、Ｃ２間が短絡しているため、ＣＰＵ１２等に動作電力が十分に供給されず、ＩＣカード１０′はデータの送受信が不可能となる。一方、動作スイッチ２６が押圧されると、Ｃ１、Ｃ２間が断線するため、アンテナ用コイルＬ１０からＣＰＵ１２等に動作電力が供給されてデータの送受信が可能になる。また、ＩＣカード１０内にアースを設けて、データの送受信を行わない場合に、アンテナ用コイルＬ１０を接地する構成としてもよい。
【００３０】
なお、上記の実施形態では、アンテナ用コイルＬ１０等の開放箇所又は短絡箇所が１箇所であったが、開放箇所や短絡箇所を複数設けておき、これらの接続、断線を１つの動作スイッチにより制御できるようにしてもよい。
【００３１】
また、上記実施形態では、無線ＩＣタグをＩＣカードに埋め込んだ例について説明したが、例えば、携帯電話機内に無線ＩＣタグを設けた場合であっても、本発明を適用することができる。なお、上記実施形態では、アンテナ用コイルＬ１０からＣＰＵ１２等への動作電力を供給するようにしたが、例えば、携帯電話機等のように、バッテリを内蔵した機器に無線ＩＣタグを内蔵する場合にも、本発明を適用してアンテナを断線又は短絡することにより不正アクセスを防止することができる。
【図面の簡単な説明】
【００３２】
【図１】本発明の一実施形態に係るＩＣカードの主要構成を示すブロック図
【図２】動作スイッチ２４の構成を示す断面図
【図３】ＩＣカードの別の実施形態を示すブロック図
【符号の説明】
【００３３】
１０…ＩＣカード、Ｌ１０…アンテナ用コイル、１２…ＣＰＵ、１４…コプロセッサ、１６…ＲＯＭ、１８…ＥＥＰＲＯＭ、２０…ＲＡＭ、２２…インターフェイス部、２４、２６…動作スイッチ、３０…ＩＣカードリーダ／ライタ部
【図１】
2007193675.tif 000003
【図２】
2007193675.tif 000004
【図３】
2007193675.tif 000005